(57)【要約】【課題】コンテナパックに封入された液を液タンクに移し替える必要がなく、コンテナパックに直接、挿着して液をパイプラインに注入できる自動排液装置を提供するものである。【解決手段】パイプ２の上部にキャップ部５を回転自在に取付け、このパイプ２の内側に、上端がキャップ部５を貫通してポンプ３０に接続されるホース９を取付けると共に、このホース９と前記パイプ２の下端に吸込み部１０を設け、ここを上下に貫通する吸込み口１３を開口した吸込みノズル１２を設けて、このノズル１２の上部をホース９に接続すると共に、吸込み口１０を囲んで吸込み部１０の底面にリング状突出部１４を形成し、膨縮自在の液封入袋７を、紙製外装箱１８の内側に収納したコンテナパック１７のキャップを取外した状態で、前記パイプ２を液封入袋７の上部排液口８から挿入して、キャップ部５を上部排液口８に取付けるようにしたものである。【選択図】  図４
2005058914.tif 000002
【特許請求の範囲】
【請求項１】
パイプの上部にキャップ部を回転自在に取付け、このパイプの内側に、上端がキャップ部を貫通してポンプに接続されるホースを取付けると共に、このホースと前記パイプの下端に吸込み部を取付け、この吸込み部に上下に貫通する吸込み口を開口したノズルを設けて、このノズルの上部をホースの下端に接続すると共に、吸込み口の下部を囲んで吸込み部の底面にリング状突出部を形成し、上部排液口にキャップを取付けた膨縮自在の液封入袋を、紙製外装箱の内側に収納したコンテナパックの、前記キャップを取外した状態で、前記パイプを上部排液口から液封入袋内に挿入して、前記キャップ部を上部排液口に取付けるようにしたことを特徴とする自動排液装置。
【請求項２】
リング状突出部の下端側にスリットまたは通水孔を開孔したことを特徴とする請求項１記載の自動排液装置。
【請求項３】
請求項１記載の自動排液装置において、更にコンテナパックを載せる載置台を設け、この載置台は、固定台の上に可動台がスプリングで上下動自在に支持され、この間にポンプ停止スイッチや警報スイッチを取付け、コンテナパック内の液の残量が少なくなって可動台が上昇した時に、前記スイッチが作動するようにしたことを特徴とする自動排液装置。
【発明の詳細な説明】
【技術分野】
【０００１】
本発明は、液体の輸送用容器として利用されるコンテナパックに用いる自動排液装置に関するものである。
【背景技術】
【０００２】
一般に薬品などの液体の輸送用容器として、繰り返して使用する場合には、硬質ポリエチレン製の容器が多く使用されているが、業務用の医薬品類、業務用の醤油、調理酒、食品添加物、洗剤や精製水などの容器としては、使い捨てできるコンテナパックが利用されている。このコンテナパックは、上部排液口にキャップを取付けた薄いポリエチレンシートで膨縮自在に形成した液封入袋を、段ボール製外装箱の内側に収納したもので、使用後は段ボール製外装箱を壊して、資源として再利用すると共に、空になった液封入袋は折り畳んで廃棄するもので、その処分が容易である。
【０００３】
例えば滅菌液を井戸水やプールの殺菌、温泉の循環装置などのパイプラインに自動的に注入する場合、従来はコンテナパックに収納されてきた滅菌液を、一旦、別の大型の薬液タンクに移し替えた後、薬液タンクに接続した注入ポンプでパイプラインに注入していた。この薬液タンクから注入ポンプを用いて滅菌液をパイプラインに注入する装置としては種々のものが開発されている（例えば特許文献１）。
【０００４】
しかしながらこのように、コンテナパックから薬液タンクに移し替える時に、薬液が飛散したり、有害な塩素ガスが発生して周囲に拡散する危険性があり作業者の安全性に問題があった。またコンテナパックを傾けて薬液タンクに注入する時に、薄いポリエチレンシートで形成された液封入袋が撓んで完全に排出できず、残留液が多く不経済であると共に、コンテナパックを廃棄する時に、残留薬液も処分しなければならず同様に安全上の問題があった。
【特許文献１】特開平１１−１９６５３
【発明の開示】
【発明が解決しようとする課題】
【０００５】
本発明は上記問題を改善し、コンテナパックから薬液タンクに移し替える必要がなく、液の飛散や、有毒なガスや臭気の発生を防止し、しかも薬液の残留がなく、経済的で、コンテナパックの処分も容易な自動排液装置を提供するものである。
【課題を解決するための手段】
【０００６】
本発明の請求項１記載の自動排液装置は、パイプの上部にキャップ部を回転自在に取付け、このパイプの内側に、上端がキャップ部を貫通してポンプに接続されるホースを取付けると共に、このホースと前記パイプの下端に吸込み部を取付け、この吸込み部に上下に貫通する吸込み口を開口したノズルを設けて、このノズルの上部をホースの下端に接続すると共に、吸込み口の下部を囲んで吸込み部の底面にリング状突出部を形成し、上部排液口にキャップを取付けた膨縮自在の液封入袋を、紙製外装箱の内側に収納したコンテナパックの、前記キャップを取外した状態で、前記パイプを上部排液口から液封入袋内に挿入して、前記キャップ部を上部排液口に取付けるようにしたことを特徴とするものである。
【０００７】
本発明の請求項２記載の自動排液装置は、リング状突出部の下端側にスリットまたは通水孔を開孔したことを特徴とするものである。また請求項３記載の自動排液装置は、更にコンテナパックを載せる載置台を設け、この載置台は、固定台の上に可動台がスプリングで上下動自在に支持され、この間にポンプ停止スイッチや警報スイッチを取付け、コンテナパック内の液の残量が少なくなって可動台が上昇した時に、前記スイッチが作動するようにしたことを特徴とするものである。
【発明の効果】
【０００８】
本発明に係る請求項１記載の自動排液装置によれば、コンテナパックに封入された薬液を薬液タンクに移し替える必要がなく、コンテナパックに自動排液装置を直接、挿着するだけで薬液をパイプラインに注入することができる。このため、有毒なガスや臭気の発生がなく安全性に優れ、特に揮発性の液の場合に効果的であると共に、液の残留がほとんどないので経済的で、しかもコンテナパックを処分する時に、有毒なガスや臭気の発生もなく処分が容易である。
【０００９】
また請求項２記載の自動排液装置によれば、リング状突出部の下端側にスリットまたは通水孔を開孔したので、リング状突出部に液封入袋の底面が吸引されても、スリットや通水孔を通して液をリング状突出部内に吸引することができる。
【００１０】
また請求項３記載の自動排液装置によれば、コンテナパックを載せる載置台を設け、この載置台は、固定台の上に可動台がスプリングで上下動自在に支持され、この間にポンプ停止や警報スイッチを取付けたので、コンテナパック内の液の残量が少なくなって可動台が上昇した時に、前記スイッチが作動して、警報が作動し、更に液が排出されて空になるとポンプを停止させることができる。
【発明を実施するための最良の形態】
【００１１】
井戸水やプールの殺菌、温泉の循環装置などのパイプラインに薬液を所定量ずつ自動的に注入する場合に、コンテナパックに自動排液装置を直接、挿着して薬液をパイプラインに注入することができる装置を実現した。
【実施例１】
【００１２】
以下本発明の実施例を図１ないし図４を参照して詳細に説明する。図において１は自動排液装置を示すもので、塩化ビニールなどの硬質材で形成されたパイプ２の上部に、同様に硬質材で形成された上部パイプ連結部３が接続され、この上部にホース引出口４が形成されている。更に上部パイプ連結部３を囲むようにキャップ部５が取付けられ、ホース引出口４との間に隙間を設けて自由に回転できるようになっている。このキャップ部５は内側にネジ部６が形成され、膨縮自在の液封入袋７の上部排液口８の外周に形成したネジ部６に螺合するようになっている。
【００１３】
また前記パイプ２の内側にはホース９が挿着されている。このパイプ２とホース９の下端には吸込み部１０が設けられている。この吸込み部１０は、図２に示すように、下部パイプ連結部１１の内側に吸込みノズル１２をネジ部６で螺合して構成されている。また吸込みノズル１２の中心には上下に貫通する吸込み口１３が開口し、その突出した上端がホース９の下端に挿着されている。また吸込みノズル１２の底面には、前記吸込み口１３を囲むように、リング状突出部１４が突設され、更にこの下端に図３に示すように、スリット１５が十字状に形成されている。
【００１４】
またコンテナパック１７は、図４に示すように、薄いポリエチレンシートで成形した膨縮自在の液封入袋７の上部に上部排液口８を設け、この液封入袋７を段ボールなどの紙製外装箱１８の内側に収納したもので、この液封入袋７の内部に薬液１９を封入して、上部排液口８に図示しないキャップを取付けて密閉し、輸送保管するようになっている。
【００１５】
また２０はコンテナパック１７を載せる載置台で、この載置台２０は、固定台２１の上に、可動台２２を被せて構成されている。固定台２１の底部にはゴム足２３に埋設したボルト２４が上方に突出し、これが可動台２２の内側に取付けたカラー２５の内側に挿着されて、この外側に設けたコイルスプリング２６により可動台２２を弾性的に上下動自在に支持するようになっている。
【００１６】
また可動台２２の内側上面にはポンプ停止スイッチ２７と警報スイッチ２８が設けられ、コンテナパック１７が軽くなって、可動台２２がコイルスプリング２６により押し上げられると、ポンプ停止スイッチ２７と警報スイッチ２８が固定台２１から離れてスイッチが作動するようになっている。なお図において３０は注入ポンプ、３１は制御装置である。
【００１７】
次に、上記構成の自動排液装置１の使用方法について説明する。先ず図４に示すように、滅菌液などの薬液１９の入ったコンテナパック１７を載置台２０の上に載せて、上部排液口８に取付けた図示しないキャップを取外す。次に上部排液口８から自動排液装置１を挿入して、上部のキャップ部５を回転させて、上部排液口８のネジ部６に螺合させて内部を密閉すると、自動排液装置１の下端のリング状突出部１４が液封入袋７の底面に接触する。この場合、キャップ部５は、上部パイプ連結部３とホース引出口４との間に図１に示すように隙間が形成されて自由に回転できるようになっているので、上部排液口８にキャップ部５を取付ける時にホース９が捻じれることがない。
【００１８】
この後、ホース９を注入ポンプ３０に接続し、制御装置３１のスイッチを入れると注入ポンプ３０が駆動して、井戸水やプールの殺菌、温泉の循環装置などのパイプラインに薬液１９を所定量ずつ自動的に注入していく。この時、自動排液装置１の下端のリング状突出部１４が液封入袋７の底面に接触しているが、リング状突出部１４を設けることにより、液封入袋７の底面が吸引されて一部が湾曲して入り込んでも吸込み口１３が塞がれるのを防止することができる。更にリング状突出部１４の下端にスリット１５が十字状に形成されているので、液封入袋７の底面がリング状突出部１４の先端に密着しても、スリット１５を通して薬液１９がリング状突出部１４内に吸引されるようになっている。
【００１９】
液封入袋７内の薬液１９が少なくなって軽くなってくると、可動台２２がコイルスプリング２６で押し上げられ、空になる前に警報スイッチ２８の接点が固定台２１から離れると、スイッチが入って警報ランプが点滅する。この状態で、新たなコンテナパック１７を用意しておく。
【００２０】
液封入袋７内の薬液１９が少なくなると、液封入袋７は大気圧により押されて収縮してくるが、上部排液口８と液封入袋７の底面との間が自動排液装置１でつっ張った状態となっているので、図１に仮想線で示すように、リング状突出部１４を中心にＶ形に収縮し、ここに薬液１９が溜り、無駄なく排出することができ残留液がほとんどない。更に薬液１９が排出されて空になると、可動台２２が上昇してポンプ停止スイッチ２７の接点が固定台２１から離れ、注入ポンプ３０が停止する。
【００２１】
注入ポンプ３０が停止したら、キャップ部５を逆に回転させて液封入袋７から自動排液装置１を引き抜き、空になったコンテナパック１７を外して、新たなコンテナパック１７を載置台２０にセットする。空になったコンテナパック１７は、紙製外装箱１８と液封入袋７を分離し、紙製外装箱１８は資源として再利用し、萎んだ液封入袋７は折り畳んで廃棄物処理する。
【００２２】
従って、コンテナパック１７に封入された薬液１９を薬液タンクに移し替える必要がなく、コンテナパック１７に自動排液装置１を直接、挿着するだけで薬液をパイプラインに注入することができる。このため、有毒なガスや臭気の発生がなく安全性に優れていると共に、薬液１９の残留がほとんどないので、経済的でしかもコンテナパック１７を処分する時の有毒なガスや臭気の発生もなく処分が容易である。
【００２３】
なお上記説明では、ポンプ停止スイッチ２７と警報スイッチ２８を可動台２２の内側上面に取付けた場合を示したが、固定台２１の上部に取付けた構造でも良い。また警報スイッチ２８により警報ランプが点滅する場合について示したが、警報ブザーが鳴るようにしても良い。
【実施例２】
【００２４】
図５は本発明の他の実施例を示すもので、リング状突出部１４の下端近傍の側壁に、複数の通水孔３２を開孔したものであり、これも液封入袋７の底面が吸引されて一部が湾曲して入り込んで塞がれても、通水孔３２から吸引することができる。
【産業上の利用可能性】
【００２５】
なお上記説明では井戸水やプールの殺菌、温泉の循環装置などのパイプラインに薬液１９を所定量ずつ自動的に注入する場合について示したが、本発明はこれに限らず、業務用の醤油、調理酒、食品添加物、洗剤や精製水などを封入したコンテナパック１７からポンプ３０で排出する場合にも適用することができる。
【図面の簡単な説明】
【００２６】
【図１】本発明の実施例による自動排液装置の断面図である。
【図２】図１の自動排液装置の要部を示す半断正面図である。
【図３】図１の自動排液装置の底部を示す底面図である。
【図４】図１の自動排液装置をコンテナパックに取付けた状態を示す断面図である。
【図５】本発明の他の実施例による自動排液装置の下部を示す半断正面図である。
【符号の説明】
【００２７】
１    自動排液装置                                          
２    パイプ                                                
３    上部パイプ連結部                                      
４    ホース引出口                                          
５    キャップ部                                            
７    液封入袋                                              
８    上部排液口                                            
９    ホース                                                
１０  吸込み部                                              
１１  下部パイプ連結部                                      
１２  吸込みノズル                                          
１３  吸込み口                                              
１４  リング状突出部                                        
１５  スリット                                              
１７  コンテナパック                                        
１８  紙製外装箱                                            
１９  薬液                                                  
２０  載置台                                                
２１  固定台                                                
２２  可動台                                                
２６  コイルスプリング              
２７  ポンプ停止スイッチ              
２８  警報スイッチ                  
３０  注入ポンプ                    
３１  制御装置                                
３２  通水孔                
【図１】
2005058914.tif 000003
【図２】
2005058914.tif 000004
【図３】
2005058914.tif 000005
【図４】
2005058914.tif 000006
【図５】
2005058914.tif 000007